(57)【要約】【課題】ユーザーが映像著作物を購入またはレンタルをする際に、有効な動機づけとなるその映像著作物の概要情報を容易に入手し、さらにその著作物のサンプル映像を容易にその場で視聴できるようにする手段を提供する。【解決手段】第三世代の携帯電話を用いてインターネット通信回線に接続し、専用ホームページを表示させ、ユーザーが入力した商品コードＮｏ．を通信回線を介して配信用サーバーに送信して、商品コードＮｏ．に対応する映像作品名などの商品情報を検索し、その結果をユーザーの携帯電話に配信する機能を具備するように構成した。商品識別コードには、商品パッケージ上に印刷等により表示されたバーコード数値部分を用い、これを商品コードＮｏ．として携帯電話のキー操作により入力送信する。これにより、商品識別コードの読み取り装置や新たな機能の具備をしないでも携帯電話の手軽な携帯性と操作性を活かしながら、必要としたその場で容易に映像著作物の情報や視聴も可能にした。【選択図】図１
2005033751.tif 000002
【特許請求の範囲】
【請求項１】
ユーザーの携帯電話を用いてインターネット通信回線に接続し、専用ホームページを表示させる機能を有し、ユーザーが入力した商品コードＮｏ．を通信回線を介して配信用サーバーに送信して、商品コードＮｏ．に対応する映像作品名などの商品情報を検索し、その結果をユーザーの携帯電話に配信する機能を具備するように構成した映像著作物のモバイル視聴システム。
【請求項２】
ユーザーが入力する商品コードＮｏ．は、既存の各種バーコードの数値を携帯電話のキー操作入力で行えるような機能を有するように構成した請求項１記載の映像著作物のモバイル視聴システム。
【請求項３】
ユーザーが入力した商品コードＮｏ．に対応する作品用の情報が複数検索された場合に、ユーザーの携帯電話に商品コードＮｏ．に対応する複数の作品名が表示できるような機能を有するように構成した請求項１記載の映像著作物のモバイル視聴システム。
【請求項４】
携帯電話に配信される映像著作物に関する商品情報は、著作物の作品名、パッケージ等の商品画像、製作年（発表年）、監督名、主なキャスト、受賞歴、品番、収録時間等の基本情報に加え、ユーザーが選択希望すればサンプル映像の視聴が可能となり、音声付き映像または音声なし映像の視聴が可能となる機能を有するように構成した請求項１記載の映像著作物のモバイル視聴システム。
【請求項５】
配信側が映像著作物に関する商品情報やサンプル映像のストックを増やす場合、また、ユーザーからの処理需要が増えた場合にも容易に増設サーバーを設置、分散処理を行えるような拡張機能を有するように構成した請求項１記載の映像著作物のモバイル視聴システム。
【発明の詳細な説明】
【発明の詳細な説明】
【技術分野】
【０００１】  本発明は、ビデオやＤＶＤなどの映像著作物商品を購入、あるいはレンタルする場合に、商品パッケージに記載されていること以外の情報を携帯電話を通じて手軽に入手できる商品情報入手方法とその映像著作物のサンプル映像を店内で、携帯電話を使用して手軽に視聴できる方法に関するものである。
【背景技術】
【０００２】  従来の携帯電話を用いた商品情報入手方法は、ユーザーがインターネット接続のできる携帯電話から商品情報を提供するホームページにアクセスして、提供者がホームページ上に記載したコンテンツ情報を読む方法がある。また、映画やミュージックビデオなどの映像著作物のサンプル視聴は新譜や新発売のものに限られたり、製作会社や配給会社の意向が優先された提供方法に偏っていた。【０００３】  ユーザーは、商品パッケージなどで得られる情報以外に欲する、より詳細な情報やマニア向け情報などは、ホームページを運営するサイトの有料会員登録を事前にする必要があるなどユーザー負担があった。また、映画やミュージックビデオなどの映像著作物のサンプル視聴は非常に限られたものしか扱われていないため、ビデオレンタル店内で欲しいと思ったときに気軽にサンプル映像を視聴することはできないなどユーザーにとって不満の残るものであった。【０００４】  従来の商品情報配信システムは、商品パッケージなどに貼られたバーコードから商品の情報識別コードをバーコード読み取り装置等を用いて読み取り、携帯電話を介して、情報識別コードを送信し、その識別コードに対応した商品情報を携帯電話に配信するというものであった。【０００５】
【特許文献１】特開２００２−２３２５８４公報（第２頁、図１、図２、図３）
【特許文献２】特開２００２−２４５１４１公報（第４頁、図１、図２）
【発明が解決しようとする課題】
【０００６】  上記、従来技術においては、商品情報の識別コード等を読み取る装置が携帯電話と別に必要であったり、あるいは読み取り装置を携帯電話に内蔵させる必要がある。そのため、携帯電話に具備する装置といった付加機能が必要となるため、ハード上の負荷がかかるだけでなく、重量増とサイズ増などの携帯性を考える上での課題がある。さらに、あわせて携帯電話の価格増となる課題がある。  また、これら従来技術による方法では、商品識別コード読み取り装置を利用することにより情報検索操作に必要なキー操作を軽減する効果を図っているが、商品識別コード読み取り機器を具備した携帯電話を購入する費用負担や携帯性を少なからず犠牲にしなければならない欠点がある。さらに、規格の違う商品識別コードの読み取りを可能にさせるソフトウエア上の対応課題もある。
【０００７】  従来の映像著作物の視聴は新作や新譜に限られていたことや、製作会社や配給会社の意向の範囲でのみの視聴という限定的であり、ユーザーの需要が満たされない課題がある。さらに、従来技術による商品情報や映像の入手方法を利用する場合において、予めユーザーが専用サイトに有料会員登録する必要があるなど事前手続きが必要であることや登録に際しての個人情報管理上の不安が完全に払拭できないという課題もある。
【０００８】  ユーザーがビデオやＤＶＤなどの映像著作物をビデオ販売店やレンタル店において、購入やレンタルの動機づけとなる情報入手を店内で容易にしたいという課題がある。ユーザーが興味を示した商品の情報が手軽に入手できるようなシステムが必要である。
【課題を解決するための手段】
【０００９】  本発明の商品情報入手方法において、ビデオやＤＶＤなどの映像著作物の商品識別コードには、商品または、商品パッケージに印刷、または貼られているシール等のバーコード数値部分を用いる。これを商品コードＮｏ．（商品情報対応数値）として入力する。数値だけの入力作業なので、キー操作上の負担は非常に少ない。また、商品コードＮｏ．として既存のバーコード数値を用いるため、新たに商品識別コードを印刷、またはシールなどで貼り付ける必要もない。ソフトウエア上で予め、ＪＡＮ規格、ＥＡＮ規格、ＵＰＣ規格などの各種バーコードに対応するように設計しているので、新たに特別な規格を必要としない。  入力した商品コードＮｏ．の数値に対応した商品が複数存在した場合には、携帯電話の表示画面上に、商品コードＮｏ．の数値に該当する作品が複数表示され、それをユーザーが選択することにより目的の作品情報を得ることができる。
【００１０】  本発明に用いる携帯用機器として、動画映像配信機能を具備する第三世代の携帯電話を想定している。すでに第三世代携帯電話は普及増加の傾向にあり、本発明のシステム用に、商品識別コード読み取り装置の具備や新たな機能設計を必要としないで利用可能である。
【００１１】  ビデオやＤＶＤなどの映像著作物に関する商品情報は、著作物の作品名、パッケージ等の商品画像、製作年（発表年）、監督名、主なキャスト、受賞歴、品番、収録時間等の基礎情報に加え、評論家などの推薦文やメイキング情報などの特別情報もコンテンツとして用意できる。さらに、作品の視聴が選択でき、映画の予告バージョンなどのサンプル映像を携帯電話で受信し、視聴できることにより、購入やレンタルの有効な動機づけに役立たせることができる。また、視聴には、店内での事情も配慮して、音声付きと音声なしを選択することも可能である。ミュージックビデオなどの映像と音楽の著作物もこれらに含めて利用できる。
【００１２】  本発明に用いる専用ホームページは、運営サイトへの特別な会員登録を必要とせず、専用ホームページに携帯電話からアクセスするだけで利用できるように設定している。これにより、ユーザーは携帯電話の通信費以外特別な費用負担を必要としないだけでなく、個人情報の特別な提供も必要としない。
【００１３】  上記のように、第三世代携帯電話と、ビデオやＤＶＤなどの映像著作物に関する商品情報とサンプル映像の視聴を選択できる機能を有した専用ホームページのコンテンツ、バーコード数値を商品コードＮｏ．として入力、送信する機能、さらに受信した商品コードＮｏ．に対応する映像著作物の検索、および配信する機能を有したシステムを製作会社や配給会社と連携させたシステムを構成することにより本目的を達成する。
【発明を実施するための最良の形態】
【００１４】  次に、本発明の実施の形態を図面を参照して説明する。【００１５】  図７により、本発明のシステム運用全体の流れを示す。図によれば、ユーザー側の携帯電話１上で行う操作フローと配信側の配信用サーバーで行う処理フローのシステム連携を有する構成に設定されている。【００１６】  ユーザーは本発明のシステムを利用する際には、携帯電話１を用いて、インターネット通信回線を介し、専用ホームページにアクセスする。専用ホームページでは、最初にビデオやＤＶＤの商品情報対応数値を入力するための商品コードＮｏ．入力画面９を表示する。ユーザーは、ビデオやＤＶＤなどの商品パッケージ７に印刷、または貼られているバーコード・シール等８から数値を見て、携帯電話１のキー操作により入力、配信用サーバー２送信する。【００１７】  配信用サーバーでは、受信した商品コードＮｏ．を商品情報対応数値として認識し、その数値に対応する商品情報を検索する。その検索結果をユーザーの携帯電話１に送信し、ユーザーに作品情報等の商品情報を提供することができる。検索結果によっては、その数値に対応する作品が複数存在する場合もあり、その場合には、表示画面１２のように、携帯電話１に該当する作品が複数表示され、ユーザーはその中から自分が希望する作品を選択し、その情報を配信用サーバーに送信すれば、リクエストを受けた配信側では対応する作品情報を携帯電話１に送信することができる。これにより、ユーザーは希望する作品情報を入手することができる。【００１８】  配信された作品情報等の商品情報には、サンプル映像を視聴する選択肢が用意されており、サンプル映像を視聴したいときは、視聴を選択し、音声付き映像か音声なし映像のどちらでもリクエストすることが可能である。ユーザーにより選択されリクエストされた内容は配信用サーバーで受信し、選択映像のサンプルを携帯電話１に配信することにより、ユーザーは希望のサンプル映像を視聴できる。【００１９】  本発明により、面倒な手続きや装置を用いることなく、ユーザーがビデオ販売店やレンタル店などで得たいとき見たいときに気軽に、ビデオやＤＶＤなどの映像著作物の作品情報やサンプル映像を視聴することが可能となる。
【実施例】
【００２０】  次に、本発明の実施の形態を図面を参照して説明する。【００２１】  図１および図２は、本発明による映像著作物のモバイル視聴システムの全体構成の一実施例を示す構成図である。図において全体構成として必要となるものは、ユーザーが使用する動画映像受信及び表示機能を具備するインターネット接続機能を有する第三世代携帯電話１と商品情報や映像配信側のサーバー２とデータベース４、サーバー用端末６である。映像配信側のサーバー等の構成は、専用ホームページを配信、情報検索するＷＥＢサーバーと作品情報や映像情報のデータベース・サーバー、リクエストに応じた情報を配信する配信サーバーで構成されており、処理する需要が増えれば増設サーバー３を結び、分散処理を行えるように構成する。【００２２】  ユーザーは携帯電話１を用いて、インターネット通信回線を介し、専用ホームページにアクセスして本発明のシステムを利用する。【００２３】  図３において、ユーザーはビデオ販売店やレンタル店などの店内で、購入あるいはレンタルの対象として興味のあるビデオやＤＶＤなどの映像著作物を見つけたとき、携帯電話１から専用ホームページにアクセスし、商品コードＮｏ．入力画面９を表示する。そのビデオやＤＶＤなどの商品パッケージ７に印刷、または貼られているバーコード・シール等８から記載数値を見て、携帯電話１のキー操作により入力、送信する。【００２４】  送信された商品コードＮｏ．は、配信用サーバー２のシステムにより商品情報対応数値として認識し、その数値に対応した情報を検索する。検索の結果得られた情報は携帯電話１に送信され、表示画面１０のような内容を表示する。表示画面１０に表示される情報が多いときは、携帯電話のスクロール機能やページをめくることにより読み取ることができる。さらに、サンプル映像を視聴したいときは、視聴を選択し、音声付き映像か音声なし映像のどちらでもリクエストすることが可能である（表示画面１１）。リクエストされた内容は配信用サーバーで受信し、選択映像のサンプルを携帯電話１に配信することにより、ユーザーは希望のサンプル映像を視聴できる。【００２５】  送信された商品コードＮｏ．を商品情報対応数値として認識し検索した結果、その数値に対応する作品が複数存在した場合には、表示画面１２のように、携帯電話１に該当する作品が複数表示され、ユーザーはその中から自分が希望する作品を選択し、その情報を配信用サーバーに送信する。リクエストを受けた配信側では、対応する作品情報を携帯電話１に送信する。これにより、ユーザーは希望する作品情報を入手することができる。【００２６】  本実施例において、本発明が解決しようとする目的が達成できる。すなわち、ビデオ販売店やレンタル店の店内においても、ユーザーが気軽に興味を持った作品の情報やサンプル視聴を既存の携帯電話を用いることでも行うことができる。また、予め必要となる会員登録や、サービス利用における費用負担を考えずに利用することが可能である。すなわち、面倒な手続きや装置を用いることなく、ユーザーが得たいとき見たいときに気軽に映像著作物の作品情報やサンプル映像を視聴することができるようになる。【００２７】  本実施例に示したように、ユー��ー側の利便性に合致した映像著作物の利用が可能となり、映像著作物の購入やレンタルなどの動機づけを効果的に促すことができる。その結果として、映像著作物の製作会社や販売会社の売上やサービス向上に寄与することも可能となる。
【発明の効果】
【００２８】  本発明は、以上説明したような形態で実施され、以下に記載するような効果を奏する。イ。商品識別コードとして、バーコード等の数値部分のみを使用するため、各種のバーコード規格に対応させることが可能である。また、新たな規格をつくる必要もない。ロ。商品コードＮｏ．（商品情報対応数値）入力は携帯電話のキー操作を用いて行うため、新たに読み取り装置や機能を具備する必要がないので、既存の第三世代携帯電話で対応でき、新たなユーザー負担はなく携帯性にも富んだ利用が可能となる。すなわち、携帯電話の操作性と携帯性を活かし、ユーザーの商品情報の検索機会を容易に提供することができる。ハ。ユーザーは携帯電話を介したインターネットの通信費のみで対応できるため、予め有料会員登録等の必要がないので、本発明を利用するための費用負担は必要としない。ニ。ユーザーが入手できる作品情報等は、専用ホームページのコンテンツにより対応できるので更新が容易である。ホ。サンプル映像の視聴は、音声ありと音声なしを選択することで視聴を希望する場所に配慮することも容易にできる。すなわち、ビデオ販売店やレンタル店の店内などでは周囲に配慮し音声なしを選択視聴することも可能である。ヘ。配信側が映像著作物の情報やサンプル映像のストックを増やすことによって、新作や新譜の映像著作物だけでなく過去の名作や劇場未公開作品、話題の作品などライブラリー・データベースを充実させることが容易にできる。映像製作会社や販売会社の所有する古い作品のレンタル稼働率や購入促進につなげることができる。ト。ユーザーも入手できる映像著作物の範囲が広がり、新作や新譜だけでない幅広い作品情報を享受できる。
【図面の簡単な説明】【図１】本発明のシステム構成の説明図である。
【図２】本発明のシステム全体構成と利用形態の説明図である。
【図３】商品コードＮｏ．の入力説明図である。
【図４】配信された作品情報の表示画面例である。
【図５】視聴映像の選択表示画面例である。
【図６】複数作品が検索された場合の表示画面例である。
【図７】本発明のシステム運用全体の流れ図である。
【符号の説明】
１    第三世代携帯電話    ２    配信用サーバー    ３    増設サーバー    ４    データベース    ５    データベース    ６    サーバー用端末    ７    映像著作物の商品パッケージ    ８    バーコード    ９    商品コードＮｏ．入力を行う携帯電話の表示画面    １０  作品情報が表示された携帯電話の表示画面    １１  視聴映像選択が表示された携帯電話の表示画面    １２  検索結果の複数作品名が表示された携帯電話の表示画面
【図１】
2005033751.tif 000003
【図２】
2005033751.tif 000004
【図３】
2005033751.tif 000005
【図４】
2005033751.tif 000006
【図５】
2005033751.tif 000007
【図６】
2005033751.tif 000008
【図７】
2005033751.tif 000009